(57)【要約】【課題】建築模型製作の工程を合理的に行いコストを抑制することができる建築模型製作システムを提供すること。【解決手段】実物の住宅を所定の１／５０で縮尺した住宅模型を製作するための建築模型製作システムであって、入力された建築模型用の製図データに基づいて、１／５０の模型製作用図面を作成する手段１２と、この模型製作用図面に基づいて、個々の模型部材の寸法を算出する手段１４と、算出された寸法に基づいて、カッター切断線が付加された模型部材切断用図面を作成する手段１５と、模型部材切断用図面を外部出力するプリンター４と、外部出力された模型部材切断用図面をスチレンボードに貼り付けた後、個々の模型部材を印字されたカッター切断線に沿って切断するカッター２０とを備え、切断されたスチレンボードを組み立てることにより住宅模型を製作する。【選択図】    図１
2005024673.tif 000002
【特許請求の範囲】
【請求項１】
実物の建築物を所定の縮尺倍率で縮尺した建築模型を製作するための建築模型製作システムであって、
入力された建築模型用の製図データに基づいて、所定の縮尺倍率の模型製作用図面を作成する手段と、
この模型製作用図面に基づいて、個々の模型部材の寸法を算出する手段と、
算出された寸法に基づいて、カッター切断線が付加された模型部材切断用図面を作成する手段とを備えたことを特徴とする建築模型製作システム。
【請求項２】
前記模型製作用図面と前記模型部材切断用図面を外部出力する手段と、
外部出力された前記模型部材切断用図面が貼り付けられたボードから、個々の模型部材を前記カッター切断線に沿って切断するカッターとを備え、
前記切断されたボードを組み立てることにより建築模型を製作するようにしたことを特徴とする請求項１に記載の建築模型製作システム。
【請求項３】
前記模型部材切断用図面に切断基準指標を付加するための指標生成手段を備えたことを特徴とする請求項１又は２に記載の建築模型製作システム。
【請求項４】
模型部材のうち、壁面部材と壁面部材とをθの角度で突き合わせるに際し、この突合せ位置における各々の壁面部材の端面が壁面に対してθ／２になるように前記カッターによる切断が行われることを特徴とする請求項１〜３のいずれか１項に記載の建築模型製作システム。
【請求項５】
模型部材のうち、屋根部材と屋根部材とをθの角度で突き合わせるに際し、この突合せ位置における各々の屋根部材の端面が壁面に対してθ／２になるように前記カッターによる切断が行われることを特徴とする請求項１〜４のいずれか１項に記載の建築模型製作システム。
【請求項６】
個々の模型部材に対して部品番号を自動的に割り振る自動採番手段を備え、前記部品番号を前記模型部材切断用図面に印字するように構成したことを特徴とする請求項１〜５のいずれか１項に記載の建築模型製作システム。
【請求項７】
請求項１〜６のいずれか１項に記載の建築模型製作システムを構築するための建築模型製作プログラムであって、
入力された建築模型用の製図データに基づいて、所定の縮尺倍率の模型製作用図面を作成する処理と、
この模型製作用図面に基づいて、個々の模型部材の寸法を算出する手段と、
算出された寸法に基づいて、カッター切断線が付加された模型部材切断用図面を作成する処理とをコンピュータに実行させるための建築模型製作プログラム。
【請求項８】
請求項１〜７のいずれか１項に記載の建築模型製作システムにより製作された建築模型。
【発明の詳細な説明】
【０００１】
【発明の属する技術分野】
本発明は、実物の建築物を所定の縮尺倍率で縮尺した建築物を製作するための建築模型製作システム及び建築模型製作プログラム及び建築模型に関する。
【０００２】
【従来の技術】
例えば、一戸建ての住宅を建築しようとする場合、その住宅の構造を図面で表わした平面図等により予め確認しながら進められる。２階建ての住宅ならば、１階部分の間取り図、１階部分の間取り図のほか、建具も適宜配置した状態で住宅の構造を確認することができる。その他、外溝の構成についても同じように平面図により確認を行う。また、場合によっては、住宅の外観や室内を三次元的に表示させる方法もある。
【０００３】
しかしながら、このような図面からでは実際の構造をリアルに見ることは難しい。そこで、実際の住宅（建築物）  を所定の縮尺倍率で縮尺した建築模型を製作するシステムが種々知られている（例えば、下記特許文献１）。このような建築模型は、住宅の施工主に対してサービスとして提供するようにしている。
【０００４】
【特許文献１】
特許２８１１８７８号
【０００５】
【発明が解決しようとする課題】
本発明の課題は次の通りである。通常の建築用ＣＡＤソフトを用いて、図面をプリントアウトし、この図面をボードに貼り付けるなどして建築模型を製作するための模型部材をカッターにより切り出す方法は考えられる。しかし、建築模型を製作する場合の模型部材の構成は、現実の建築物とは異なっているため、模型部材を製作するための図面を得ることが難しい。例えば、実際の住宅の場合は、外壁部材と内壁部材とは異なる部材で構成されるが、縮尺倍率のことを考えると建築模型の場合はそこまで実際に忠実に作成する必要はなく、省略する方がコストの面でも好ましい。また、実際は軸組工法であっても、複雑な構造の軸組を建築模型で再現することは組み立ても手間がかかるし、やはりコスト上昇は免れない。
【０００６】
そこで、上記の点を考慮しながら、建築模型を製作するシステムを構築するにあたり、必要なデータを入力してから、建築模型を構成する模型部材を得るまでの一連の工程を合理的に行えるようにし、コストを抑制することである。特に、建築模型は施行主に対して無料で提供することが多いため、不動産仲介業者等のコスト負担を減らすためにも、かかる課題を解決することは重要である。すなわち、本発明は上記実情に鑑みてなされたものであり、その課題は、建築模型製作の工程を合理的に行いコストを抑制することができる建築模型製作システム及び建築模型製作プログラムを提供することである。
【０００７】
【課題を解決するための手段】
上記課題を解決するため本発明に係る建築模型製作システムは、
実物の建築物を所定の縮尺倍率で縮尺した建築模型を製作するための建築模型製作システムであって、
入力された建築模型用の製図データに基づいて、所定の縮尺倍率の模型製作用図面を作成する手段と、
この模型製作用図面に基づいて、個々の模型部材の寸法を算出する手段と、
算出された寸法に基づいて、カッター切断線が付加された模型部材切断用図面を作成する手段とを備えたことを特徴とするものである。
【０００８】
この構成による建築模型製作システムの作用・効果は、以下の通りである。まず、建築模型用の製図データを入力し、所定の縮尺倍率の模型製作用図面を作成する。これは実際の建築物のための図面とは異なり、模型として不要な部分は除去した図面である。このような図面としては、例えば、４方向からの立面図、１階平面図、２階平面図、小屋伏図等である。次に、この模型製作用図面に基づいて、個々の模型部材の寸法を自動的に算出し、カッター切断線が付加された模型部材切断用図面を作成する。この模型製作用図面や模型部材の寸法の算出、模型部材切断用図面の作成は、コンピュータプログラムの機能により行わせることができる。また、カッターにより切断させる場合は、模型部材切断用図面からのデータを用いることができる。このように、製図データを入力してから模型部材切断用図面を作成するまでの一連の処理を合理的に行うことができる。その結果、建築模型製作の工程を合理的に行いコストを抑制することができる建築模型製作システムを提供することができる。
【０００９】
本発明の実施形態として、前記模型製作用図面と前記模型部材切断用図面を外部出力する手段と、
外部出力された前記模型部材切断用図面が貼り付けられたボードから、個々の模型部材を前記カッター切断線に沿って切断するカッターとを備え、
前記切断されたボードを組み立てることにより建築模型を製作するようにしたものがあげられる。
【００１０】
模型部材切断用図面は、外部出力手段（例えば、レーザープリンタ）により紙等にハードコピーされた形で出力される。この模型部材切断用図面は、模型部材を構成するボード（例えば、スチレンボード）  に貼り付けられる。ついでカッターを用いて、カッター切断線に沿ってボードの切断を行う。これにより、個々の模型部材を得ることができる。このように、カッター切断線を印字した模型部材切断用図面を出力することで、カッタ−による切断を行いやすくできる。
【００１１】
本発明の好適な実施形態として、前記模型部材切断用図面に切断基準指標を付加するための指標生成手段を備えたものがあげられる。
【００１２】
この切断基準指標を模型部材切断用図面に付加して印字させることで、カッターにより切断するときの基準とすることができる。これにより、カッターによる切断を精度良く行うことができる。
【００１３】
本発明の好適な実施形態として、模型部材のうち、壁面部材と壁面部材とをθの角度で突き合わせるに際し、この突合せ位置における各々の壁面部材の端面が壁面に対してθ／２になるように前記カッターによる切断が行われるものがあげられる。
【００１４】
ボードを切断して壁面部材を構成する場合、その突合せは通常は図６（ｂ）に示すようになる。そうすると、突合せ位置において、ボードの端面が露出してしまうことになり、建築模型の外観見栄えを低下させる。そこで、壁面部材の端面を上記のようにθ／２とすることで、図６（ｂ）に１例として示すように、端面を露出させなくてもすむ。したがって、見栄えの良い建築模型とすることができる。
【００１５】
本発明の別の好適な実施形態として、模型部材のうち、屋根部材と屋根部材とをθの角度で突き合わせるに際し、この突合せ位置における各々の屋根部材の端面が壁面に対してθ／２になるように前記カッターによる切断が行われるものがあげられる。
【００１６】
屋根部材の突合せについても、壁面部材の突合せと同様である。屋根部材の端面も壁面とθ／２になるようにすることで、外観に端面が露出させなくてすみ、見栄えの良い建築模型とすることができる。
【００１７】
本発明の更に別の好適な実施形態として、個々の模型部材に対して部品番号を自動的に割り振る自動採番手段を備え、前記部品番号を前記模型部材切断用図面に印字するように構成したものがあげられる。
【００１８】
かかる部品番号を印字することで、模型部材を組み立てていく際の相手部品との照合に用いることができ、組立作業を容易化することができる。
【００１９】
本発明に係る建築模型製作システムを構築するための建築模型製作プログラムは、
入力された建築模型用の製図データに基づいて、所定の縮尺倍率の模型製作用図面を作成する処理と、
この模型製作用図面に基づいて、個々の模型部材の寸法を算出する手段と、
算出された寸法に基づいて、カッター切断線が付加された模型部材切断用図面を作成する処理とをコンピュータに実行させることを特徴とするものである。かかる構成による作用・効果は、既に述べた通りである。
【００２０】
【発明の実施の形態】
本発明に係る建築模型製作システムの好適な実施形態を図面を用いて説明する。まず、建築模型製作システムの構成を図１により説明する。このシステムは、現実の住宅（建築物に相当）を所定の縮尺倍率（例えば、１／５０）で縮尺した住宅模型（建築模型に相当）を製作するシステムである。住宅模型を構成する模型部材は、スチレンボードを主要部材としており、このスチレンボードの表面に建築模型製作システムを用いて印刷した図面を貼り付けたのち、所定のカッティングマシンを用いて、各模型部材をスチレンボードから切断することで得る。この模型部材を組み立てることにより建築模型を製作する。
【００２１】
図１に示すように、建築用ＣＡＤソフト１をシステムの中核として構成しており、このＣＡＤソフト１はパソコンにインストールして使用される。すなわち、一般の建築用ＣＡＤソフトに模型を製作するための機能を付加している。このＣＡＤソフトは、例えば、株式会社シーピーユーのＭＡＤＲＩＣ２０００をベースとして構成することができる。図１は、ＣＡＤソフト１の代表的な機能のみを図示している。データ入力部１０は、模型用の製図データを入力する。例えば、敷地データ、床データ、内壁・外壁データ、柱・階段データ、建具データ、天井データ、小屋データ、屋根データを入力する。縮尺設定部１１は、製作する建築模型の縮尺を設定する。縮尺は適宜設定できるが、本実施形態では１／５０を設定している。
【００２２】
模型製作用図面作成手段１２は、入力された製図データに基づいて、設定された縮尺倍率（１／５０）の模型製作用図面を作成する機能を有する。この模型製作用図面は、実際の建築図面とは異なり模型用に特化した図面であり、模型として不要な部分の形状等はフィルタリングにより除去される。例えば、実際の住宅を軸組工法で建築するような場合であっても、模型としては軸組みの部分は不要であるので、模型製作用図面からは除去される。この模型製作用図面は、例えば、平面図、平面詳細図、立面図（東西南北の各面）、展開図、矩形図、天井伏図、小屋伏図、屋根伏図等が含まれる。
【００２３】
自動採番手段１３は、個々の模型部材に対して部品番号（あるいは、識別符号）を自動的に割り振る機能を有する。また、この部品番号は、模型製作用図面や模型部材切断用図面に印字させることができ、カッティングマシン２０によりカットされた模型部材を組み立てていく際の目安とすることができる。もちろん、部品番号を通常の使用目的で使用しても良い。
【００２４】
寸法算出手段１４は、この模型製作用図面に基づいて、各模型部材の寸法を算出する機能を有する。この寸法データは、カッティングマシン２０によりスチレンボードをカットするときの刃物を移動させる場合のデータとして用いることができる。模型部材切断用図面作成手段１５は、模型製作用図面と算出された寸法データに基づいて、模型部材切断用図面を作成する。この図面には、カッターで切断される切断線が付加されている。
【００２５】
マーク付加手段１６は、模型部材切断用図面に対してマーク（切断基準指標、例えば、トンボ）を付加する。このマークはカッティングマシン２０により切断を行うの時の基準とすることができる。
【００２６】
モニター２は、ＣＡＤソフト１により製作された図面をモニター画面上で確認をしたり、各種データを入力する際の確認等のために用いることができる。プリンタ４は、模型製作用図面や模型部材切断用図面を印刷するために用いられる。プリンタ４としては、例えば、カラーレーザープリンタを用いることが好ましい。カッティングマシン２０としては、例えば、サンプルカッターを用いることができるが、これに限定されるものではなく、他のカッターを用いてもよいし、複数種類のカッターを用いてもよい。
【００２７】
＜住宅模型製作コンセプト＞
次に、住宅模型を製作するときのコンセプトを図５により説明する。住宅模型は、大きく分けて住宅本体と外溝とに分けることができる。住宅模型を構成する模型部材としては、図５に示すように屋根部材、天井部材、外壁部材（壁面部材に相当）、内壁部材（壁面部材に相当）、階段部材、柱・梁部材、建具部材、床部材に分けることができる。外溝は敷地部材からなる。
【００２８】
図５に示すように、屋根部材や壁面部材等は、その表面に適宜の模様等が必要である。従って、模型部材切断用図面には、必要とされる色や模様がプリンター４により印字されることになる。外壁部材と内壁部材については、突合せ部分を４５゜になるように切断する。これはあわせ部分の見栄えをよくするためである（後述）。階段部材については、スタイロフォームのブロックから階段を製作するようにしている（後述）。柱や梁については、マッチの軸木を必要な寸法に合わせて９０゜カットして製作する。ただし、これは和室の場合に限られる。
【００２９】
建具部材については、すべてを模型部材切断用図面により製作するのではなく、窓、玄関ドア、勝手口ドアなどは模型用の市販品が販売されているので、これを利用する。もちろん、これら窓やドア等も図面への印刷により得るようにしてもよいが、市販品を用いたほうが高級感が得られる。外溝の樹木や生垣等も模型用市販品を使用する。
【００３０】
図５において、ＣＡＤソフト（ＣＧ２０００）作業上の考慮点について簡単に説明する。屋根部材については、模型製作用図面作成手段１２の機能に基づいて、屋根伏図を出力し、次に寸法算出手段１４の機能に基づいて、屋根部材の寸法を算出する。天井部材については、同様に天井伏図を出力し、天井部材の寸法を算出する。外壁部材は、立面図を出力し、寸法を算出する。その他の寸法算出手順も同様であり、図５に示されている。この寸法は、カッター切断線をデータとして付加し、カッター切断線を図面上に印字するために用いられる。また、算出された寸法データは、カッティングマシン２０によりカッター切断線を切断するときのカッターを移動させるときのデータとして用いることもできる。
【００３１】
図４は、住宅模型製作用図面出力のシステムフローを示している。まず、模型用製図データ（敷地、床、内壁、外壁、柱、階段、建具、天井、小屋、屋根の各データ）の入力により、物件概要処理を行うことで、敷地図とプラン図が作成される。この敷地図とプラン図から、配置図、平面図、平面詳細図、屋根伏図が得られる。以下同様にして、小屋伏図、矩形図、天井伏図、展開図、立面図が得られる。これらの各図面は、個々の模型部材の寸法を算出する元になるものである。
【００３２】
次に、壁面部材の突合せについて図６により説明する。本発明における壁面部材の突合せは図６（ａ）に示され、従来型の突合せは（ｂ）に示される。従来型では、壁面部材の端面については、特別な処理を施しておらず、一方の壁面部材３１の内面側に他方の壁面部材３０の端面を当てて接着により接合していた。この突合せ方法では、一方の壁面部材３１の端面が外観に露出する。従って、この露出した部分の見栄えが悪く、露出部分を覆い隠す必要があった。これに対して、本発明による突合せでは、一方の壁面部材３３の端面と、他方の壁面部材３２の端面をともに、壁面に対して４５゜になるように切断している。これにより、突合せ位置において、いずれの壁面部材３２，３３の端面も露出しないので、見栄えをよくすることができる。なお、（ａ）の例では突合せ角度がθ＝９０゜なので、端面の角度をθ／２＝４５゜としている。θが９０゜でない場合にも同様に考えることができる。
【００３３】
次に、屋根部材の突合せについて図７により説明する。図７（ａ）は本発明による接合方法を示し、（ｂ）従来型の接合方法を示す。従来型は、屋根部材３５の中央部分に切欠３５ａを形成して折り合わせていたが、これだとやはり見栄えが悪くなるという欠点がある。そこで、（ａ）に示すように、突合せ角度をθとした場合、屋根部材３６，３７同士の突合せ端面３６ａ（３７ａ）をθ／２とすることにより、突合せ部における見栄えを良くすることができる。
【００３４】
＜階段部材の構成＞
次に、階段部材の構成を図８  （第１実施形態）、図９  （第２実施形態）  により説明する。
【００３５】
第１実施形態についてまず説明する。まず、ＣＡＤソフト１により図番４０で示すような階段の立面図を製作し、この立面図をプリントアウトし、厚紙に貼って切る。立面図の形状は幅方向両側に必要なので２枚切る。次に、スタイロフォーム（硬質の発泡材の１種）を階段の外形寸法に合わせてサイコロ状（立方体状）  に切断する。厚紙４２の裏面に両面テープを貼り付け、スタイロフォーム４１の対向する面に２枚とも貼り付ける。次に、厚紙を型にして、熱線カッターで切断して階段部材を製作することができる。
【００３６】
次に、第２実施形態について説明する。ＣＡＤソフトにより、平面図から階段部分の平面形状を出力する。これを図番４５で示す。これをベージュ色の５ｍｍ厚のスチレンペーパーに貼り付けて、線に合わせて切断する。これにより、図番４４で示すように、階段部材の段の部分を製作することができる。また、階段の側面形状をＣＡＤソフト１により製図することで作成する。これをプリントアウトし１ｍｍ厚のスチレンボード４３に貼り付けて、側面形状に合わせて切断する。
【００３７】
＜模型製作手順＞
住宅模型を製作していくときの手順を図２のフローチャートに示し、これに基づいて住宅模型の製作手順を説明する。図３は、住宅模型を製作するときの工程一覧表を示す。
【００３８】
まず最初に、模型用製図データを入力する（図２の＃１）。この製図データとは、すでに説明したとおりの敷地データ、床データ・・・等である（図３を参照）。そして、縮尺倍率を１／５０に設定し、模型製作用の図面を作成する（＃２）。このとき、模型製作に関係がない部分については、フィルタリングがかかり除去される。この模型製作用図面には自動採番手段により付与された部品番号が付与されることが好ましい。この模型製作用図面をプリンター４により出力する（＃３）。これは既に説明したように、図４に示される各図面である。この出力された図面を図１２〜図１４（立面図、平面詳細図１Ｆ、平面詳細図２Ｆ）に１例として示す。その他の図面も同様に作成される。
【００３９】
次に、模型部材切断用図面を作成してプリンターにより出力する（＃４）。この出力された図面を図１５〜図１７に１例として示す。この模型部材切断用図面には、カッターで切断するための切断線Ｌが印刷されている。また、模型部材切断用図面には適宜の箇所に部品番号（不図示）が印刷される。図１５と図１６は、立面図に対して切断線Ｌを付加したものである。この図からも分かるように、外壁部分については１階と２階とがつながった１つの図面となっている。他の立面図も同様である。図１７は、室内の壁面や部家と部屋を仕切る壁面部材として使用される模型部材切断用図面の例を示す。図１７には、例として４つ示しているが他も同様である。図１７の各部材については、最外形部分が切断線にもなる。また、屋根部材については、立面図や平面図では斜め方向から見ることになるので、正しい寸法になるように展開した図面を作成して出力する。
【００４０】
図１０と図１１は、各模型部材の製作手順を個別に説明するものである。説明中にＣＧ２０００とあるのは、ＣＡＤソフトを示している。
【００４１】
次に、印刷された模型部材切断用図面を型紙にしてスチレンボードに貼り付ける（＃５）。このスチレンボードをカッティングマシン２０にセットして、カッティング用データに基づいてカットする（＃６）。なお、カッティングマシン２０により切断する場合に、基準が必要であるので、模型部材切断用図面に切断基準指標（例えば、「＋」マークのトンボ）となるものを印刷しておくことが好ましい。カッティングをするときのデータ（前述の寸法データに基づく）も、この基準に対してのデータとして作成することが好ましい。これにより、スチレンボードのセッティングを容易に行うことができる。
【００４２】
次に、切断された各々の模型部材を接着しながら組み立てる（＃７）。このとき、模型部材切断用図面から個々の模型部材の形状に切断されてばらばらの状態であり、模型部材の数が多いとどのように組み立ててよいのかが直ちには分からないことがある。そこで、ステップ＃３で出力した模型製作用図面を参照しながら組み立てていくことができる。あるいは、組み立て方を説明するための専用の図面を作成してプリントアウトするようにしてもよい。その他の方法として、目立たない形で接合する箇所に部品番号を印刷しておき、それに対応する部品番号が印刷された模型部材を接着するような方法でも良い。すなわち、  部品番号同士を目安にして組み立てていくようにしても良い。
【００４３】
建具については、図面に基づいてカッティングマシン２０により製作してもよいし、玄関や窓などは市販品を利用しても良い。また、和室の場合は、部屋の四隅に柱が外観に露出した形態で設けられるので、これを表現するためにマッチの軸木を利用することができる。
【００４４】
図１８は、スチレンボードを組み立てていく場合の概略手順を示している。図１９は、完成した状態を示す図である。図２０は、完成屋根の部分を取り外した状態を示す図である。屋根部分を取り外すことで、内部の室内の構造を見ることができる。２階の天井部分を取り外せば、１階の室内の構造を見ることができるようになっている。
【００４５】
＜別実施形態＞
本実施形態では、一戸建ての住宅模型について説明してきたが、これに限定されるものではなく、その他の建築物の場合にも本発明は応用できるものである。
本実施形態では、カッティングマシンによりカッター切断線に沿って切断させているが、作業者が手動で適宜のカッターにより切断しても良い。
【００４６】
本実施形態では、ボードとしてスチレンボードを用いているがこれに限定されるものではなく、他の種類のものを用いても良い。
【図面の簡単な説明】
【図１】建築模型製作システムの構成を示す図
【図２】住宅模型製作手順を示すフローチャート
【図３】住宅模型製作工程一覧表を示す図
【図４】住宅模型製作用図面出力のシステムフローを示す図
【図５】住宅模型を製作するときのコンセプトを示す図
【図６】壁面部材の突合せ方法を示す図
【図７】屋根部材の突合せ方法を示す図
【図８】階段部材の製作工程を示す図  （第１実施形態）
【図９】階段部材の製作工程を示す図  （第２実施形態）
【図１０】各模型部材の製作工程を示す図
【図１１】各模型部材の製作工程を示す図
【図１２】模型製作用図面の作成例を示す図（立面図）
【図１３】模型製作用図面の作成例を示す図（平面詳細図２Ｆ）
【図１４】模型製作用図面の作成例を示す図（平面詳細図１Ｆ）
【図１５】模型部材切断用図面の作成例を示す図
【図１６】模型部材切断用図面の作成例を示す図
【図１７】模型部材切断用図面の作成例を示す図
【図１８】住宅模型を製作する工程を示す図
【図１９】住宅模型の完成した状態を示す図
【図２０】完成した住宅模型の２階の屋根部材を取り外した状態を示す図
【符号の説明】
１        建築用ＣＡＤソフト
１０      データ入力部
１１      縮尺設定部
１２      模型製作用図面作成手段
１３      自動採番手段
１４      寸法算出手段
１５      模型部材切断用図面作成手段
２０      カッティングマシン
【図１】
2005024673.tif 000003
【図２】
2005024673.tif 000004
【図３】
2005024673.tif 000005
【図４】
2005024673.tif 000006
【図５】
2005024673.tif 000007
【図６】
2005024673.tif 000008
【図７】
2005024673.tif 000009
【図８】
2005024673.tif 000010
【図９】
2005024673.tif 000011
【図１０】
2005024673.tif 000012
【図１１】
2005024673.tif 000013
【図１２】
2005024673.tif 000014
【図１３】
2005024673.tif 000015
【図１４】
2005024673.tif 000016
【図１５】
2005024673.tif 000017
【図１６】
2005024673.tif 000018
【図１７】
2005024673.tif 000019
【図１８】
2005024673.tif 000020
【図１９】
2005024673.tif 000021
【図２０】
2005024673.tif 000022